(57)【要約】【課題】  タッチスクリーンを利用したハングル入力処理方法及びハングル入力装置を提供する。【解決手段】  タッチスクリーンに表示された子音キーのうち一つを選択する第１入力が感知されれば、選択された子音キーの周辺に‘天（・）’キー、‘地（一）’キー、（外６７）2009064437.tif 000069キーを含む母音キーを表示し、表示された母音キーのうち少なくとも一つを選択する第２入力が感知されれば、第１入力に対する子音を初声と決定し、第２入力に対する母音を中声と決定する。【選択図】      図１
2009064437.tif 000002
【特許請求の範囲】
【請求項１】
タッチスクリーンを利用したハングル入力装置でハングル入力を処理する方法において、
前記タッチスクリーンに表示された子音キーのうち一つを選択する第１入力が感知されれば、前記選択された子音キーの周辺に‘天（・）’キー、‘地（一）’キー、
（外１）
2009064437.tif 000067
キーを含む母音キーを表示する表示ステップと、
前記表示された母音キーのうち少なくとも一つを選択する第２入力が感知されれば、前記第１入力に対する子音を初声と決定し、前記第２入力に対する母音を中声と決定する決定ステップと、を含むことを特徴とするハングル入力処理方法。
【請求項２】
ハングル子音のうち双子音がある所定の子音キーを前記タッチスクリーンに表示するステップと、
前記表示された所定の子音キーのうち一つを選択する入力が感知されれば、前記選択された子音キーの該子音の双子音キーを表示するステップと、をさらに含むことを特徴とする請求項１に記載のハングル入力方法。
【請求項３】
前記双子音キー表示ステップは、
前記選択された子音キーの該子音の双子音キーを表示するステップを含むことを特徴とする請求項２に記載のハングル入力方法。
【請求項４】
前記母音キーが表示されれば、前記選択された子音キー以外の他の子音キーの入力が非活性化されるステップをさらに含むことを特徴とする請求項１に記載のハングル入力方法。
【請求項５】
前記第２入力は、前記母音キーのうち少なくとも一つのキー組み合わせがタッチ道具またはユーザーの指の連続的なドラッグ操作を通じて選択されることを特徴とする請求項１に記載のハングル入力方法。
【請求項６】
前記決定ステップは、前記第２入力以後、前記子音キーのうち少なくとも一つを選択する第３入力が感知されれば、前記第３入力に対する子音を終声と決定することを特徴とする請求項１に記載のハングル入力方法。
【請求項７】
前記子音キー入力の非活性化ステップは、前記第２入力以後、所定時間タッチスクリーンから前記タッチ道具またはユーザーの指を離さなければ、前記子音キーが活性化するステップを含み、
前記決定ステップは、前記活性化した子音キーのうち少なくとも一つを選択する第３入力が感知されれば、前記第３入力に対する子音を終声と決定することを特徴とする請求項４に記載のハングル入力方法。
【請求項８】
前記子音キー入力の非活性化ステップは、
前記第２入力以後、所定時間タッチスクリーンから前記タッチ道具またはユーザーの指を離さなければ、前記子音キーが活性化するステップを含むことを特徴とする請求項４に記載のハングル入力方法。
【請求項９】
前記決定ステップは、現在キーの入力以後、前記タッチ道具またはユーザーの指を前記タッチスクリーンから離した後、所定の時間内に次のキーが選択されたことを感知すれば、前記現在キー及び前記次のキーが連続的に入力されたと決定することを特徴とする請求項１に記載のハングル入力方法。
【請求項１０】
前記決定ステップは、現在キーの選択以後、前記タッチ道具またはユーザーの指を前記タッチスクリーンから離していない状態で、次のキー以外の他のキー上をドラッグしつつ前記次のキーまで到達した後、所定時間停止することを感知すれば、前記現在キー及び前記次のキーが連続的に入力されたと決定することを特徴とする請求項１に記載のハングル入力方法。
【請求項１１】
前記決定ステップは、現在キーの選択以後、前記タッチ道具またはユーザーの指を前記タッチスクリーンから離していない状態で、入力キー以外の領域をドラッグしつつ次のキーに到達したことを感知すれば、前記現在キー及び前記次のキーが連続的に入力されたと決定することを特徴とする請求項１に記載のハングル入力方法。
【請求項１２】
前記決定ステップは、現在キーの入力以後、前記タッチ道具またはユーザーの指を前記タッチスクリーンから離した後、前記入力キー以外の領域を選択したことを感知すれば、一音節の入力が完了したと決定するステップをさらに含むことを特徴とする請求項１に記載のハングル入力方法。
【請求項１３】
前記決定ステップは、前記タッチ道具またはユーザーの指が現在キーを選択した後、前記入力キー以外の領域にドラッグして前記所定時間停止したことを感知すれば、一音節の入力が完了したと決定するステップをさらに含むことを特徴とする請求項１に記載のハングル入力方法。
【請求項１４】
前記決定ステップは、前記タッチ道具またはユーザーの指が現在キーまでのキー選択をドラッグ操作で連続的に選択したならば、前記タッチ道具またはユーザーの指が前記現在キーを選択した後、前記タッチスクリーンから離されたことを感知すれば、一音節の入力が完了したと決定するステップをさらに含むことを特徴とする請求項１に記載のハングル入力方法。
【請求項１５】
タッチスクリーンを利用したハングル入力装置において、
前記タッチスクリーンに表示されたそれぞれの子音キーのうち一つを選択する第１入力が感知されれば、前記選択された子音キーの周辺に‘天（・）’キー、‘地（一）’キー、
（外２）
2009064437.tif 000068
キーを含む母音キーを表示する母音キー表示部と、
前記表示された母音キーのうち少なくとも一つを選択する第２入力が感知されれば、前記第１入力に対する子音を初声と決定し、前記第２入力に対する母音を中声と決定する決定部と、を備えることを特徴とするハングル入力装置。
【請求項１６】
ハングル子音のうち双子音がある所定の子音キーを前記タッチスクリーンに表示し、前記表示された所定の子音キーのうち一つを選択する入力が感知されれば、前記選択された子音キーの該子音の双子音キーを表示する双子音キー表示部をさらに備えることを特徴とする請求項１５に記載のハングル入力装置。
【請求項１７】
前記選択された子音キーの周辺に該子音の双子音キーを表示することを特徴とする請求項１６に記載のハングル入力装置。
【請求項１８】
前記母音キーが表示されれば、前記子音キー以外の他のキーの入力が非活性化される活性化制御部をさらに備えることを特徴とする請求項１６に記載のハングル入力装置。
【請求項１９】
前記第２入力は、前記母音キーのうち少なくとも一つのキー組み合わせがタッチ道具またはユーザーの指の連続的なドラッグ操作を通じて選択されることを特徴とする請求項１５に記載のハングル入力装置。
【請求項２０】
前記決定部は、前記第２入力以後、前記子音キーのうち少なくとも一つを選択する第３入力が感知されれば、前記第３入力に対する子音を終声と決定することを特徴とする請求項１５に記載のハングル入力装置。
【請求項２１】
前記活性化制御部は、前記第２入力以後、所定時間タッチスクリーンから前記タッチ道具またはユーザーの指を離さなければ前記子音キーを活性化し、
前記決定部は、前記活性化した子音キーのうち少なくとも一つを選択する第３入力が感知されれば、前記第３入力に対する子音を終声と決定することを特徴とする請求項１８に記載のハングル入力装置。
【請求項２２】
前記活性化制御部は、前記第２入力以後、所定時間タッチスクリーンから前記タッチ道具またはユーザーの指を離さなければ前記子音キーを活性化することを特徴とする請求項１８に記載のハングル入力装置。
【請求項２３】
前記決定部は、現在キーの入力以後、前記タッチ道具またはユーザーの指を前記タッチスクリーンから離した後、所定の時間内に次のキーが選択されたことを感知すれば、前記現在キー及び前記次のキーが連続して入力されたと決定することを特徴とする請求項１５に記載のハングル入力装置。
【請求項２４】
前記決定部は、現在キーの選択以後、前記タッチ道具またはユーザーの指を前記タッチスクリーンから離していない状態で、次のキー以外の他のキー上をドラッグしつつ前記次のキーまで到達した後、所定時間停止することを感知すれば、前記現在キー及び前記次のキーが連続して入力されたと決定することを特徴とする請求項１５に記載のハングル入力装置。
【請求項２５】
前記決定部は、現在キーの選択以後、前記タッチ道具またはユーザーの指を前記タッチスクリーンから離していない状態で、入力キー以外の領域をドラッグしつつ次のキーに到達したことを感知すれば、前記現在キー及び前記次のキーが連続して入力されたと決定することを特徴とする請求項１５に記載のハングル入力装置。
【請求項２６】
前記決定部は、現在キーの入力以後、前記タッチ道具またはユーザーの指を前記タッチスクリーンから離した後、前記入力キー以外の領域を選択したことを感知すれば、一音節の入力が完了したと決定するステップをさらに含むことを特徴とする請求項１５に記載のハングル入力装置。
【請求項２７】
前記決定部は、前記タッチ道具またはユーザーの指が現在キーを選択した後、前記入力キー以外の領域にドラッグして前記所定時間停止したことを感知すれば、一音節の入力が完了したと決定するステップをさらに含むことを特徴とする請求項１５に記載のハングル入力装置。
【請求項２８】
前記決定部は、前記タッチ道具またはユーザーの指が現在キーまでのキー選択をドラッグ操作で連続的に選択したならば、前記タッチ道具またはユーザーの指が前記現在キーを選択した後、前記タッチスクリーンから離されたことを感知すれば、一音節の入力が完了したと決定するステップをさらに含むことを特徴とする請求項１５に記載のハングル入力装置。
【請求項２９】
請求項１に記載の方法を具現するためのプログラムが記録されたコンピュータで読み取り可能な記録媒体。
【発明の詳細な説明】
【技術分野】
【０００１】
本発明は、タッチスクリーンを利用したハングル入力処理方法及びハングル入力装置に係り、詳細には、‘天（・）’、‘地（一）’、
（外３）
2009064437.tif 000003
方式による母音入力方式を利用したタッチスクリーン用ハングル入力処理方法及びハングル入力装置に関する。
【背景技術】
【０００２】
タッチスクリーンの利用分野が単純な業務用装備から多様な機能のモバイル装置へ拡張するにつれて、タッチスクリーン上での文字入力方式が普遍化された。また、モバイル装置の多様な機能を具現するためにはモバイル装置での文字入力が必須であるので、タッチスクリーンを利用したモバイル装置での速くて効率的な文字入力方式が期待されている。
【０００３】
既存のタッチスクリーン上での文字入力方式は、単純な子音キー及び母音キーを配列した仮想キーボード方式と、ユーザーが入力した文字をグラフィックとして認識することによって文字を入力される手書き（ｈａｎｄ  ｗｒｉｔｉｎｇ）方式とに大別される。
【０００４】
アルファベットは一方向に配列されて入力される一方、ハングルは少なくとも二つ以上の音素が二方向に配列されて初めて一音節をなすので、文字の入力時にアルファベットに比べて複雑である。
【０００５】
アルファベットは一字ずつ配列される一方、ハングルは複数の音素が一字を構成して、仮想キーボード方式では速度面で競争性が落ちる。また、仮想キーボード方式の固定的なキー配列方式は、ユーザーの入力パターンの多様性を裏付ける面がある。
【０００６】
また、手書き方式による場合、ハングルはタッチスクリーン上で入力される文字の方向及び文字形態が、ユーザーの書体によって正確に認識され難い。
【０００７】
したがって、既存タッチスクリーンでの文字入力方式による場合、アルファベットに比べてハングルは入力速度及び正確性を落ちるので、タッチスクリーンの効用性が低い。
【発明の開示】
【発明が解決しようとする課題】
【０００８】
本発明は、子音キーの配列は、仮想キーボード方式をさらに単純化、階層化し、母音キーの配列は、‘天（・）’、‘地（一）’、
（外４）
2009064437.tif 000004
方式をタッチスクリーンに好適に設計することによって入力速度を向上させ、かつ効率的な入力を可能にするタッチスクリーン上でのハングル入力処理方法及びハングル入力装置を提案する。
【０００９】
また、タッチ道具またはユーザーの指をタッチスクリーンに一回ずつタッチすることによって一音素ずつ選択される方法だけではなく、複数の音素が連続的に選択されるようにして、入力速度を向上させて効率的にハングルを入力できるハングル入力処理方法を提案する。
【課題を解決するための手段】
【００１０】
前記解決しようとする課題を達成するために、本発明の一実施形態によるハングル入力処理方法は、タッチスクリーンを利用したハングル入力装置でハングル入力を処理する方法において、前記タッチスクリーンに表示された子音キーのうち一つを選択する第１入力が感知されれば、前記選択された子音キーの周辺に‘天（・）’キー、‘地（一）’キー、
（外５）
2009064437.tif 000005
キーを含む母音キーを表示する表示ステップと、前記表示された母音キーのうち少なくとも一つを選択する第２入力が感知されれば、前記第１入力に対する子音を初声と決定し、前記第２入力に対する母音を中声と決定する決定ステップと、を含む。
【００１１】
本発明の一実施形態は、ハングル子音のうち双子音がある所定の子音キーを前記タッチスクリーンに表示するステップと、前記表示された所定の子音キーのうち一つを選択する入力が感知されれば、前記選択された子音キーの該子音の双子音キーを表示するステップと、をさらに含む。
【００１２】
本発明の一実施形態は、前記母音キーが表示されれば、前記選択された子音キー以外の他の子音キーの入力が非活性化されるステップをさらに含む。
【００１３】
本発明の一実施形態の第２入力は、前記母音キーのうち少なくとも一つのキー組み合わせがタッチ道具またはユーザーの指の連続的なドラッグ操作を通じて選択される。
【００１４】
本発明の一実施形態の決定ステップは、前記第２入力以後、前記子音キーのうち少なくとも一つを選択する第３入力が感知されれば、前記第３入力に対する子音を終声と決定する。
【００１５】
本発明の一実施形態の子音キー入力の非活性化ステップは、前記第２入力以後、所定時間タッチスクリーンから前記タッチ道具またはユーザーの指を離さなければ、前記子音キーが活性化するステップを含み、前記決定ステップは、前記活性化した子音キーのうち少なくとも一つを選択する第３入力が感知されれば、前記第３入力に対する子音を終声と決定する。
【００１６】
本発明の他の実施形態の決定ステップは、現在キーの入力以後、前記タッチ道具またはユーザーの指を前記タッチスクリーンから離した後、所定の時間内に次のキーが選択されたことを感知すれば、前記現在キー及び前記次のキーが連続的に入力されたと決定する。
【００１７】
本発明の一実施形態の決定ステップは、現在キーの選択以後、前記タッチ道具またはユーザーの指を前記タッチスクリーンから離していない状態で、次のキー以外の他のキー上をドラッグしつつ前記次のキーまで到達した後、所定時間停止することを感知すれば、前記現在キー及び前記次のキーが連続的に入力されたと決定する。
【００１８】
本発明の他の実施形態の決定ステップは、現在キーの選択以後、前記タッチ道具またはユーザーの指を前記タッチスクリーンから離していない状態で、入力キー以外の領域をドラッグしつつ次のキーに到達したことを感知すれば、前記現在キー及び前記次のキーが連続的に入力されたと決定する。
【００１９】
本発明の一実施形態の決定ステップは、現在キーの入力以後、前記タッチ道具またはユーザーの指を前記タッチスクリーンから離した後、前記入力キー以外の領域を選択したことを感知すれば、一音節の入力が完了したと決定するステップをさらに含む。
【００２０】
本発明の一実施形態の決定ステップは、前記タッチ道具またはユーザーの指が現在キーを選択した後、前記入力キー以外の領域にドラッグして前記所定時間停止したことを感知すれば、一音節の入力が完了したと決定するステップをさらに含む。
【００２１】
本発明の一実施形態の決定ステップは、前記タッチ道具またはユーザーの指が現在キーまでのキー選択をドラッグ操作で連続的に選択したならば、前記タッチ道具またはユーザーの指が前記現在キーを選択した後、前記タッチスクリーンから離されたことを感知すれば、一音節の入力が完了したと決定するステップをさらに含む。
【００２２】
前記解決しようとする課題を達成するために、本発明の一実施形態によるハングル入力処理装置は、タッチスクリーンを利用したハングル入力装置において、前記タッチスクリーンに表示されたそれぞれの子音キーのうち一つを選択する第１入力が感知されれば、前記選択された子音キーの周辺に‘天（・）’キー、‘地（一）’キー、
（外６）
2009064437.tif 000006
キーを含む母音キーを表示する母音キー表示部と、前記表示された母音キーのうち少なくとも一つを選択する第２入力が感知されれば、前記第１入力に対する子音を初声と決定し、前記第２入力に対する母音を中声と決定する決定部と、を備える。
【００２３】
また、本発明は、本発明の実施形態のハングル入力処理方法を具現するためのプログラムが記録されたコンピュータで読み取り可能な記録媒体を備える。
【発明の効果】
【００２４】
本発明のタッチスクリーンを利用したハングル入力処理方法及びハングル入力装置により、ユーザーはタッチスクリーン上でハングルを速くて効率的に入力できる。既存の仮想キーボードのようにタッチスクリーン上にあらゆる子音キーまたは母音キーを配したものではなく、現在必要な入力キーのみを適切に配してタッチスクリーン空間を効率的に使用することによって、ユーザーのハングル入力効率を高める。
【００２５】
既存クリック方式の文字入力方式だけではなく、ドラッグ形式の文字入力方式も可能であって、ユーザーが実際に文字を書くように途切れずに一回に一音節ずつ入力できて迅速なハングル入力が可能である。
【００２６】
限定された文字入力方式ではなく、文字配列及び連続的な入力方式によりユーザーのニーズに合わせて自由な変化が可能なインターフェース構成ができるので、ユーザーの興味を誘導できる。
【発明を実施するための最良の形態】
【００２７】
以下、図１ないし図６を参照して本発明で提案するハングル入力装置の実施形態を説明する。
【００２８】
図１は、本発明の一実施形態によるハングル入力装置のブロック図を示す。
【００２９】
一実施形態のハングル入力装置１００は、感知部１１０、母音キー表示部１２０及び決定部１３０を備え、タッチスクリーン１５０からデータを入力されて出力する。
【００３０】
本発明の一実施形態によるハングル入力装置は、タッチスクリーンを利用するハングル入力の処理を必要とするあらゆるシステムに、一つのモジュールとしてエンベデッドされて使われうる。
【００３１】
感知部１１０は、タッチスクリーン１５０上の入力を感知して、いかなるキーが選択されたかに関する情報を母音キー表示部１２０に出力する。
【００３２】
母音キー表示部１２０は、感知部１１０でタッチスクリーンに表示されたそれぞれの子音キーのうち一つを選択する第１入力が感知されれば、選択された子音キーの周辺に‘天（・）’キー、‘地（一）’キー、
（外７）
2009064437.tif 000007
キーを含む母音キーを表示させる指示をタッチスクリーン１５０に出力する。
【００３３】
決定部１３０は、感知部１１０で母音キーのうち少なくとも一つを選択する第２入力が感知されれば、第１入力に対する子音を初声と決定し、第２入力に対する母音を中声と決定し、決定された文字を出力する。
【００３４】
本発明の一実施形態は、ＣＰＵまたはタッチスクリーン１５０など、決定された文字に関する情報を必要とするあらゆる構成部であり、決定部１３０で決定された文字を出力できる。
【００３５】
決定部１３０の一実施形態は、第２入力以後、感知部１１０で子音キーのうち少なくとも一つを選択する第３入力が感知されれば、第３入力に対する子音を終声と決定する。
【００３６】
本発明の決定部１３０は多様な方式の入力を感知できる。
【００３７】
感知部１１０が、現在キーの入力以後にタッチ道具またはユーザーの指をタッチスクリーンから離した後、所定の時間内に次のキーが選択されたことを感知すれば、決定部１３０の一実施形態は、現在キー及び次のキーが連続して入力されたと決定できる。
【００３８】
また、現在キーの選択以後、タッチ道具またはユーザーの指をタッチスクリーンから離していない状態で、次のキー以外の他のキー上をドラッグしつつ次のキーまで到達した後、所定時間停止したことを感知部１１０が感知すれば、決定部１３０は現在キー及び次のキーが連続して入力されたと決定できる。
【００３９】
他の実施形態として、現在キーの選択以後、タッチ道具またはユーザーの指をタッチスクリーンから離していない状態で、入力キー以外の領域をドラッグしつつ次のキーに到達したことを感知部１１０が感知すれば、決定部１３０は、現在キー及び次のキーが連続して入力されたと決定できる。
【００４０】
図１には図示されていないが、双子音がある子音の入力のために、本発明の他の実施形態は、感知部１１０で、タッチスクリーン上で双子音がある子音キーのうち一つを選択する入力が感知されれば、選択された子音キーの該子音の双子音キーを表示する双子音キー表示部をさらに備える。
【００４１】
双子音がある子音の入力のために、本発明の一実施形態は、タッチスクリーン１５０上で双子音がある子音キーを連続して選択する回数によって双子音を選択できるように設定する。
【００４２】
以下、図２ないし図５を参照して、母音キー表示部１２０、双子音キー表示部及び決定部１３０の役割を詳細に説明する。
【００４３】
図２は、本発明の一実施形態によるハングル入力装置の子音配置図を示す。
【００４４】
全体タッチスクリーン２００は、字表示部２１０及び入力キー２２０を備える。入力キー２２０は、基本子音のうち
（外８）
2009064437.tif 000008
キー２３０、
（外９）
2009064437.tif 000009
キー２４０、
（外１０）
2009064437.tif 000010
キー２５０、
（外１１）
2009064437.tif 000011
キー２６０、
（外１２）
2009064437.tif 000012
キー２７０、
（外１３）
2009064437.tif 000013
キー２８０及び
（外１４）
2009064437.tif 000014
キー２９０を備える。
【００４５】
本実施形態のタッチスクリーンは、類似した子音同士で組み合わせておいた子音集合を一つの子音キーに割り当てて置く。すなわち、
（外１５）
2009064437.tif 000015
キー２３０を通じて入力されるようにし、類似した方式で
（外１６）
2009064437.tif 000016
キー２５０に、
（外１７）
2009064437.tif 000017
キー２６０に、
（外１８）
2009064437.tif 000018
キー２７０に、
（外１９）
2009064437.tif 000019
キー２８０に割り当てる。
【００４６】
それ以外に
（外２０）
2009064437.tif 000020
キー２４０に割り当て、
（外２１）
2009064437.tif 000021
キー２９０に割り当てる。
【００４７】
それぞれの子音キーに割り当てられた複数の子音のうちいかなる子音が選択されるかは、該子音キーを連続して押した回数によって決定される。例えば、決定部１３０は、
（外２２）
2009064437.tif 000022
キーが一回押されたと感知すれば、
（外２３）
2009064437.tif 000023
が入力されたと決定し、２回押されれば、
（外２４）
2009064437.tif 000024
が入力されたと、３回押されれば、
（外２５）
2009064437.tif 000025
が入力されたと決定する。
【００４８】
図３Ａは、本発明の他の実施形態によるハングル入力装置の基本子音配置図を示す。
【００４９】
タッチスクリーン３００は、基本子音に対する
（外２６）
2009064437.tif 000026
キー３１０、
（外２７）
2009064437.tif 000027
キー３１５、
（外２８）
2009064437.tif 000028
キー３２０、
（外２９）
2009064437.tif 000029
キー３２５、
（外３０）
2009064437.tif 000030
キー３３０、
（外３１）
2009064437.tif 000031
キー３３５、
（外３２）
2009064437.tif 000032
キー３４０、
（外３３）
2009064437.tif 000033
キー３４５、
（外３４）
2009064437.tif 000034
キー３５０、
（外３５）
2009064437.tif 000035
キー３５５、
（外３６）
2009064437.tif 000036
キー３６０、
（外３７）
2009064437.tif 000037
キー３６５、
（外３８）
2009064437.tif 000038
キー３７０、
（外３９）
2009064437.tif 000039
キー３７５を備える。
【００５０】
感知部１１０が子音キー３１０、３１５、３２０、３２５、３３０、３３５、３４０、３４５、３５０、３５５、３６０、３６５、３７０、３７５を選択する入力を感知すれば、決定部１３０は、選択された子音キーに該当する子音を初声または終声と決定する。
【００５１】
図３Ｂは、図３Ａの実施形態の双子音及び母音配置図を示す。
【００５２】
感知部１１０が、タッチスクリーン３００に表示されている基本子音キーのうち一つを選択する入力を感知すれば、母音キー表示部１２０は、タッチスクリーン３００上の選択された基本子音キーの周辺に‘天（・）’キー３１４、‘地（一）’キー３１２、
（外４０）
2009064437.tif 000040
キー３１３を表示する。
【００５３】
また、双子音を持つ基本子音の子音キーが選択されるならば、双子音キー表示部は、母音キーと共に双子音キーを選択された子音キーの周辺に表示する。例えば、
（外４１）
2009064437.tif 000041
キー３１０が入力されるならば
（外４２）
2009064437.tif 000042
キー３１０の周辺に
（外４３）
2009064437.tif 000043
キー３１１が表示される。
【００５４】
したがって、双子音がある基本子音キーが選択されるならば、タッチスクリーン３００上の基本子音キーの周辺に該子音の双子音、‘天（・）’キー３１４、‘地（一）’キー３１２、
（外４４）
2009064437.tif 000044
キー３１３が表示されうる。
【００５５】
図４Ａは、図２の実施形態で、母音が入力される方法を説明する。
【００５６】
感知部１１０が、図２に示したタッチスクリーン２００上での子音キーの入力を感知すれば、母音キー表示部１２０は、タッチスクリーン２００上の選択された基本子音キーの周辺に‘天（・）’キー４１４、‘地（一）’キー４１３、
（外４５）
2009064437.tif 000045
キー４１２を表示する。
【００５７】
決定部１３０は、基本子音キーの最初の入力である第１入力を初声と決定し、母音キーの入力である第２入力を中声と決定する。
【００５８】
本発明の母音は天地人方式によるので、母音は‘天（・）’、‘地（一）’、
（外４６）
2009064437.tif 000046
のうち一つ以上の組み合わせで形成される。例えば、
（外４７）
2009064437.tif 000047
キー４１２及び‘天（・）’キー４１４が一回ずつ連続して入力されれば、
（外４８）
2009064437.tif 000048
が入力されうる。類似した方式で、‘天（・）’キー４１４が２回、
（外４９）
2009064437.tif 000049
キー４１２が１回連続して入力されれば、
（外５０）
2009064437.tif 000050
が入力されうる。
【００５９】
したがって、
（外５１）
2009064437.tif 000051
キー２３０の入力が第１入力であり、
（外５２）
2009064437.tif 000052
キー及び‘天（・）’キーの連続入力が第２入力であれば、
（外５３）
2009064437.tif 000053
が入力されうる。
【００６０】
前述したように、決定部１３０が現在キー及び次のキーが連続して入力されると認識できる連続入力方式が色々ありうる。したがって、
（外５４）
2009064437.tif 000054
キー、
（外５５）
2009064437.tif 000055
キー４１２及び‘天（・）’キー４１４の一連の入力が、下記方式のうち一つにより入力されるならば、決定部１３０は
（外５６）
2009064437.tif 000056
が入力されたと決定する。
【００６１】
（ｉ）現在キーの入力以後、タッチ道具またはユーザーの指をタッチスクリーンから離した後、所定の時間内に次のキーが選択される。
【００６２】
（ｉｉ）現在キーの選択後、タッチ道具またはユーザーの指をタッチスクリーンから離していない状態で、次のキー以外の他のキー上をドラッグしつつ次のキーまで到達した後、所定時間停止する。
【００６３】
（ｉｉｉ）現在キーの選択後、タッチ道具またはユーザーの指をタッチスクリーンから離していない状態で、現在キー以外の領域をドラッグしつつ次のキーに到達する。
【００６４】
図４Ｂは、図３Ａの実施形態で、双子音または母音が入力される方法を説明する。基本子音キーがタッチスクリーン３００上にいずれも表示されており、双子音のある基本子音を選択すれば、基本子音キーの周辺に双子音キー及び母音キーが生成される実施形態での初声及び中性の入力方法が詳述される。
【００６５】
基本子音
（外５７）
2009064437.tif 000057
キー３１０、
（外５８）
2009064437.tif 000058
キー３１３、‘天（・）’キー３１４が順次連続的に選択されれば、
（外５９）
2009064437.tif 000059
が入力されうる。
【００６６】
初声として双子音
（外６０）
2009064437.tif 000060
を入力するためには、
（外６１）
2009064437.tif 000061
キー３１０を選択した後、生成される
（外６２）
2009064437.tif 000062
キー３１１を選択すればよい。したがって、
（外６３）
2009064437.tif 000063
キー３１１、
（外６４）
2009064437.tif 000064
キー３１３、‘天（・）’キー３１４が順次連続的に選択されれば、決定部１３０は
（外６５）
2009064437.tif 000065
の入力を決定できる。
【００６７】
決定部１３０が認識できるキーの連続選択方式も、図４Ａで前述したた３つの方式と同一である。
【００６８】
ハングル入力装置１００の一実施形態は、基本子音キーが選択されて母音キーがタッチスクリーン２００上に生成されれば、選択された子音キー以外の他の子音キーは非活性化させる活性化制御部を備える。
【００６９】
但し、ハングル入力装置１００の他の実施形態のタッチスクリーン３００の活性化制御部は、母音キーがタッチスクリーン３００上に生成されれば、あらゆる基本子音キーを非活性化する。
【００７０】
図５は、図３Ａの実施形態で、終声が入力される方法を説明する。
【００７１】
ハングル入力装置１００の活性化制御部により、母音キーの生成後に子音キーの入力が非活性化されうる。活性化制御部は、母音キーを選択する第２入力以後、所定時間タッチスクリーンからタッチ道具またはユーザーの指を離さなければ、終声入力のために子音キーを活性化する。
【００７２】
感知部１１０が活性化した子音キーのうち少なくとも一つを選択する第３入力を感知すれば、決定部１３０は、第３入力に対する子音を終声と決定する。
【００７３】
例えば、図３Ａに示したタッチスクリーンの一実施形態３００は、基本子音キーがタッチスクリーン３００上でいずれも分離されて表示されているので、母音キーの選択後に他の子音キーが選択されず、タッチ道具がタッチスクリーン上でドラッグしつつ所望の子音に移動できる。それ以外にも、母音キーの選択後に連続的に終声が入力されることを決定部１３０が認識できる入力キーの連続的な選択方式も、図４Ａで前述した３つの方式と同一である。
【００７４】
決定部１３０は、後述する３つの方式により、一音節の入力が完了したと決定する。
【００７５】
（１）感知部１１０が現在キーの入力以後、タッチ道具またはユーザーの指をタッチスクリーンから離した後、入力キー以外の領域を選択したことを感知すれば、決定部１３０は一音節の入力が完了したと決定する。
【００７６】
（２）タッチ道具またはユーザーの指が現在キーを選択した後、前記入力キー以外の領域にドラッグして所定時間停止したことを感知部１１０が感知すれば、決定部１３０は一音節の入力が完了したと決定する。
【００７７】
（３）タッチ道具またはユーザーの指が現在キーまでのキー選択をドラッグ操作で連続的に選択したならば、タッチ道具またはユーザーの指が現在キーを選択した後、タッチスクリーンから離されたことを感知部１１０が感知すれば、決定部１３０は一音節の入力が完了したと決定する。
【００７８】
したがって、前述した３つの方式のキー選択動作により、ユーザーが所望の入力キーを選択した後、一音節の入力を終了できる。
【００７９】
ハングル入力装置１００の一実施形態は、決定部１３０で１音節の入力が終了したと決定すれば、次の音節の第１入力のために基本子音キーが活性化するか、基本子音キーの入力画面に転換される。
【００８０】
図６は、本発明の一実施形態によるハングル入力装置のハングル入力処理方法のフローチャートを示す。
【００８１】
ステップ６１０で、タッチスクリーンに表示されたそれぞれの子音キーのうち一つを選択する第１入力が感知されれば、選択された子音キーの周辺に‘天（・）’キー、‘地（一）’キー、
（外６６）
2009064437.tif 000066
キーを含む母音キーが表示される。
【００８２】
一実施形態では、母音キーがタッチスクリーン上に表示されれば、子音キーの入力が非活性化される。
【００８３】
ステップ６２０で、表示された母音キーのうち少なくとも一つを選択する第２入力が感知されれば、第１入力に対する子音が初声と決定され、第２入力に対する母音が中声と決定される。
【００８４】
タッチスクリーン上に母音キーの表示後に子音キーが非活性化される一実施形態では、終声が入力される第３入力がある場合、母音キーの選択後に子音キーが再び活性化する。
【００８５】
ハングル入力装置１００の一実施形態は、タッチ道具またはユーザーの指がタッチスクリーン上から離されるか、入力キー以外の領域を選択した後に所定時間停止すれば、一音節の入力が終了したと決定できる。
【００８６】
一方、前述した本発明の実施形態はコンピュータで実行できるプログラムで作成でき、コンピュータで読み取り可能な記録媒体を利用して前記プログラムを動作させる汎用ディジタルコンピュータで具現できる。前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じる伝送）のような記録媒体を含む。
【００８７】
これまで本発明についてその望ましい実施形態を中心に説明した。当業者ならば、本発明が本発明の本質的な特性から逸脱しない範囲で変形された形態で具現できるということを理解できるであろう。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【産業上の利用可能性】
【００８８】
本発明は、ハングル入力装置関連の技術分野に好適に用いられる。
【図面の簡単な説明】
【００８９】
【図１】本発明の一実施形態によるハングル入力装置のブロック図である。
【図２】本発明の一実施形態によるハングル入力装置の子音配置図である。
【図３Ａ】本発明の他の実施形態によるハングル入力装置の基本子音配置図である。
【図３Ｂ】図３Ａの実施形態の双子音及び母音配置図である。
【図４Ａ】図２の実施形態で、母音が入力される方法を説明する図である。
【図４Ｂ】図３Ａの実施形態で、双子音または母音が入力される方法を説明する図である。
【図５】図３Ａの実施形態で、終声が入力される方法を説明する図である。
【図６】本発明の一実施形態によるハングル入力装置のハングル入力処理方法のフローチャートである。
【符号の説明】
【００９０】
１００  ハングル入力装置
１１０  感知部
１２０  母音キー表示部
１３０  決定部
１５０  タッチスクリーン
【図１】
2009064437.tif 000070
【図２】
2009064437.tif 000071
【図３Ａ】
2009064437.tif 000072
【図３Ｂ】
2009064437.tif 000073
【図４Ａ】
2009064437.tif 000074
【図４Ｂ】
2009064437.tif 000075
【図５】
2009064437.tif 000076
【図６】
2009064437.tif 000077